(57)【要約】    【課題】  快適なリクライニング状態を作り出しさらに使い勝手を高めうる折り畳みベッドを提供すること。    【解決手段】  倒立Ｖ字状に折り曲げ可能なベッド主枠に取りつけられ、寝具を載置する寝具受け枠を具えた折り畳みベッドであって、前記寝具受け枠は、非傾動かつ就寝者の臀部を受ける臀支持枠部と、この臀支持枠部の頭側端部で起倒動作可能に取り付けられ上半身を受ける上半身支持枠部と、前記臀支持枠部の脚側端部で傾動動作可能に取り付けられ、かつ逆Ｖ字状に折曲げ動作可能な脚支持枠部とを含み、かつ前記臀支持枠部と、上半身支持枠部と、脚支持枠部とは前記ベッド主枠の縦方向に配されるとともに、前記上半身支持枠部を起倒動作させる上半身起倒手段、及び脚支持枠部を傾動・折曲げ動作する脚部動作手段を反転する紐状体を用いた連動手段を用いて連結し連動動作させ、しかも上半身支持枠部、又は脚支持枠部を動作する駆動手段を具えたことを特徴とする。【選択図】  図１
2005124651.tif 000002
【特許請求の範囲】
【請求項１】
倒立Ｖ字状に折り曲げ可能なベッド主枠に取りつけられ、寝具を載置する寝具受け枠を具えた折り畳みベッドであって、
前記寝具受け枠は、非傾動かつ就寝者の臀部を受ける臀支持枠部と、この臀支持枠部の頭側端部で起倒動作可能に取り付けられ上半身を受ける上半身支持枠部と、前記臀支持枠部の脚側端部で傾動動作可能に取り付けられ、かつ逆Ｖ字状に折曲げ動作可能な脚支持枠部とを含み、
かつ前記臀支持枠部と、上半身支持枠部と、脚支持枠部とは前記ベッド主枠の縦方向に配されるとともに、
前記上半身支持枠部を起倒動作させる上半身起倒手段、及び脚支持枠部を傾動・折曲げ動作する脚部動作手段を反転する紐状体を用いた連動手段を用いて連結し連動動作させ、しかも上半身支持枠部、又は脚支持枠部を動作する駆動手段を具えたことを特徴とする折り畳みベッド。 
【請求項２】
前記上半身起倒手段は、前記ベッド主枠に枢支される横方向の起倒主軸と、この起倒主軸からのび前記上半身支持枠部に係合して該上半身支持枠部を起倒する起倒アームと、前記起倒主軸からのびる１本以上の起倒レバーとからなり、前記起倒レバーを傾動することにより前記起倒動作させるとともに、該起倒レバーに前記紐状体の一端を結合したことを特徴とする請求項１記載の折り畳みベッド。
【請求項３】
前記上半身支持枠部は、背中を受ける背支持部と、該背支持部から持ち上げられ頭部を受ける頭支持部とからなり、前記起倒アームは前記頭支持部に持上げリンクを介して前記頭支持部に結合されることにより前記上半身支持枠部に係合することを特徴とする請求項２記載の折り畳みベッド。
【請求項４】
前記起倒アームは、その先端部が前記上半身支持枠部の背面と相対移動可能に係合することを特徴とする請求項２記載の折り畳みベッド。
【請求項５】
前記駆動手段は、直線電動運動器、又はラチェットを用いて前記上半身支持枠部を傾斜位置で係止可能に起倒する手動レバーであることを特徴とする請求項１〜４のいずれかに記載の折り畳みベッド。
【請求項６】
倒立Ｖ字状に折り曲げ可能なベッド主枠に取りつけられ、寝具を載置する寝具受け枠を具えた折り畳みベッドであって、
前記寝具受け枠は、非傾動かつ就寝者の臀部を受ける臀支持枠部と、この臀支持枠部の頭側端部で起倒動作可能、かつラチェットを用いて傾斜位置で係止可能に取り付けられ上半身を受ける上半身支持枠部と、前記臀支持枠部の脚側端部で傾動動作可能に取り付けられ、かつ逆Ｖ字状に折曲げ動作可能な脚支持枠部とを含み、
かつ前記臀支持枠部と、上半身支持枠部と、脚支持枠部とは前記ベッド主枠の縦方向に配されるとともに、
前記上半身支持枠部に一端を固着される突出レバー、及び脚支持枠部を傾動・折曲げ動作する脚部動作手段を反転する紐状体を用いた連動手段を用いて連結し連動動作させたことを特徴とする折り畳みベッド。 
【請求項７】
前記脚支持枠部は、前記臀支持枠部の側の第１の脚小枠と、該第１の脚小枠と逆Ｖ字に折曲げ可能にこの第１の脚小枠に枢支される第２の脚小枠とからなり、かつ該脚支持枠部は前記第１の脚小枠を、その臀支持枠部側を横方向に通り前記ベッド主枠で回動可能に枢支される脚回動軸に固定されることにより、該ベッド主枠に取り付けられ、
かつ前記脚部動作手段は、前記脚回動軸に固定される１以上の脚レバーであり、この脚レバーに前記紐状体を固着することを特徴とする請求項１〜６のいずれかに記載の折り畳みベッド。
【発明の詳細な説明】
【技術分野】
【０００１】
本発明は、折り畳み操作を円滑に行え、しかも快適性の高い折り畳みベッドに関する。
【背景技術】
【０００２】
近年の生活習慣では、ベッドの上で横になってテレビを見たり或いは読書をすること等が頻繁に行われつつある。このようなベッドの使用形態に鑑み、寝台部の一部に上半身を支持するリクライニングフレームを設け、該リクライニングフレームを傾け起き上がらせて、使い勝手を高めたベッドが使用されている。しかしこの種のベッドでは、上半身はリクライニングフレームで支持されて起き上がるが、下半身は水平に伸ばした状態を維持するため、特に長時間この姿勢を保つと腰、膝などに負担が掛かり、だるさなど疲労感を覚えることが多かった。
【０００３】
そこで本出願人は、図１６に示すように、前メインフレームａと後メインフレームｂとを折り畳み可能に枢結した折り畳みベッドにおいて、前メインフレームａにリクライニングフレームｃを後方下傾の起伏自在に枢着し、後メインフレームｂの前端に前方下傾の起伏自在に第１フレームｄを枢着するとともに該第１フレームｄの後端に第２フレームｅが逆Ｖ字型に折り畳み自在に枢着したベッドを提案している。そして該ベッドは、リクライニングフレームｃの後端から垂設された前垂下アームｆと第２フレームｅの後端から垂設された後垂下アームｇとを紐状体ｈで連結している。これにより、この折り畳みベッドでは、上半身を支持するリクライニングフレームｃの起伏動作と、第１フレームｄ・第２フレームｅの折り畳み動作とが、紐状体ｈで連動するため、上半身の起き上がり動作に追従し、下半身を逆Ｖ字状の楽な姿勢で支持することができた（例えば、特許文献１参照。）。
【０００４】
【特許文献１】特開２０００−１２５９９１号公報
【発明の開示】
【発明が解決しようとする課題】
【０００５】
しかしながら、前記従来の折り畳みベッドでは、紐状体ｈがリクライニングフレームｃ後端の前垂下アームｆと第２フレーム後端の後垂下アームｇ間で、比較的長スパンに亘り架設され、その全長が長くなっていた。そしてベッドを折り畳む際、図１７に示すように、紐状体ｈがその間に挟まり、その動作を妨げるため、完全な折り畳みができない場合があり、しかも折り畳み時の挟み込みで紐状体ｈを損傷し易く、メンテナンスが必要になるなど、更なる改善の余地があることが解った。
【０００６】
本発明は、前記した折り畳みベッドが有する問題点を解消し、反転する紐状体を用いた連動手段を用いて上半身起倒手段、及び脚部動作手段を連結し連動動作させることを基本として、折り畳み操作を円滑に行なうことができ、しかもメンテナンスを容易としうる折り畳みベッドの提供を課題としている。
【課題を解決するための手段】
【０００７】
前記目的を達成するために、請求項１記載の発明は、倒立Ｖ字状に折り曲げ可能なベッド主枠に取りつけられ、寝具を載置する寝具受け枠を具えた折り畳みベッドであって、前記寝具受け枠は、非傾動かつ就寝者の臀部を受ける臀支持枠部と、この臀支持枠部の頭側端部で起倒動作可能に取り付けられ上半身を受ける上半身支持枠部と、前記臀支持枠部の脚側端部で傾動動作可能に取り付けられ、かつ逆Ｖ字状に折曲げ動作可能な脚支持枠部とを含み、かつ前記臀支持枠部と、上半身支持枠部と、脚支持枠部とは前記ベッド主枠の縦方向に配されるとともに、前記上半身支持枠部を起倒動作させる上半身起倒手段、及び脚支持枠部を傾動・折曲げ動作する脚部動作手段を反転する紐状体を用いた連動手段を用いて連結し連動動作させ、しかも上半身支持枠部、又は脚支持枠部を動作する駆動手段を具えたことを特徴とする。 
【０００８】
また請求項２記載の発明は、前記上半身起倒手段は、前記ベッド主枠に枢支される横方向の起倒主軸と、この起倒主軸からのび前記上半身支持枠部に係合して該上半身支持枠部を起倒する起倒アームと、前記起倒主軸からのびる１本以上の起倒レバーとからなり、前記起倒レバーを傾動することにより前記起倒動作させるとともに、該起倒レバーに前記紐状体の一端を結合したことを特徴とする請求項１記載の折り畳みベッドである。
【０００９】
また請求項３記載の発明は、前記上半身支持枠部は、背中を受ける背支持部と、該背支持部から持ち上げられ頭部を受ける頭支持部とからなり、前記起倒アームは前記頭支持部に持上げリンクを介して前記頭支持部に結合されることにより前記上半身支持枠部に係合することを特徴とする請求項２記載の折り畳みベッドである。
【００１０】
また請求項４記載の発明は、前記起倒アームは、その先端部が前記上半身支持枠部の背面と相対移動可能に係合することを特徴とする請求項２記載の折り畳みベッドである。
【００１１】
また請求項５記載の発明は、前記駆動手段は、直線電動運動器、又はラチェットを用いて前記上半身支持枠部を傾斜位置で係止可能に起倒する手動レバーであることを特徴とする請求項１〜４のいずれかに記載の折り畳みベッドである。
【００１２】
また請求項６記載の発明は、倒立Ｖ字状に折り曲げ可能なベッド主枠に取りつけられ、寝具を載置する寝具受け枠を具えた折り畳みベッドであって、前記寝具受け枠は、非傾動かつ就寝者の臀部を受ける臀支持枠部と、この臀支持枠部の頭側端部で起倒動作可能、かつラチェットを用いて傾斜位置で係止可能に取り付けられ上半身を受ける上半身支持枠部と、前記臀支持枠部の脚側端部で傾動動作可能に取り付けられ、かつ逆Ｖ字状に折曲げ動作可能な脚支持枠部とを含み、かつ前記臀支持枠部と、上半身支持枠部と、脚支持枠部とは前記ベッド主枠の縦方向に配されるとともに、前記上半身支持枠部に一端を固着される突出レバー、及び脚支持枠部を傾動・折曲げ動作する脚部動作手段を反転する紐状体を用いた連動手段を用いて連結し連動動作させたことを特徴とする。
【００１３】
また請求項７記載の発明は、前記脚支持枠部は、前記臀支持枠部の側の第１の脚小枠と、該第１の脚小枠と逆Ｖ字に折曲げ可能にこの第１の脚小枠に枢支される第２の脚小枠とからなり、かつ該脚支持枠部は前記第１の脚小枠を、その臀支持枠部側を横方向に通り前記ベッド主枠で回動可能に枢支される脚回動軸に固定されることにより、該ベッド主枠に取り付けられ、かつ前記脚部動作手段は、前記脚回動軸に固定される１以上の脚レバーであり、この脚レバーに前記紐状体を固着することを特徴とする請求項１〜６のいずれかに記載の折り畳みベッドである。
【発明の効果】
【００１４】
請求項１記載の折り畳みベッドでは、上半身起倒手段と、脚部動作手段とを連結する連動手段を構成する紐状体は反転しているため、ベッドの中間位置で比較的コンパクトに配置される。従って、前記した従来の折り畳みベッドのように、そのリクライニングフレームの前垂下アームと第２フレームの後垂下アームとの間に架設されベッドの脚側端部にまで配置される紐状体が、ベッドを折り畳む際に可動部に挟まれ、折り畳み動作を妨げることがなくなり、折り畳み操作を円滑に行なうことができる。しかも、前記挟み込みによる紐状体の損傷、切断がないため、動作不良などのトラブルを防止でき、メンテナンスを容易とする。また上半身の起き上がり角度に応じて脚が逆Ｖ字に支持されるため、無理のない自然な姿勢を保たれ、快適なリクライニング状態を作り出すことができる。しかも、駆動手段を操作すると、連動手段がその最適なリクライニング状態を自動的に形成するため、使い勝手に優れる。
【００１５】
また、請求項６記載の折り畳みベッドでは、連動手段を構成する紐状体は反転しているため、ベッドの中間位置で比較的コンパクトに配置され、可動部に挟まれベッドの折り畳み動作を妨げることがなく、折り畳み操作を円滑とし、さらに前記挟み込みによる紐状体の損傷、切断がないため、動作不良を防止し、メンテナンスを容易とする。また上半身の起き上がり角度に応じ、脚が逆Ｖ字に支持されて快適なリクライニング状態を作り出すことができ、しかも、ラチェットを用いた上半身支持枠部の傾斜を変える操作で、連動手段がその最適なリクライニング状態を自動的に形成するため、使い勝手に優れる。
【発明を実施するための最良の形態】
【００１６】
以下、本発明の実施の一形態を、図示例とともに説明する。図１は本実施形態の折り畳みベッド１Ａの分解斜視図、図２はその平面図である。本実施形態の折り畳みベッド１Ａは、ベッド主枠２と、該ベッド主枠２の上に配されかつ寝具を載置する寝具受け枠３とを具えるものが例示される。
【００１７】
前記ベッド主枠２は、第１のベッド枠半体３１と第２のベッド枠半体３２とを、倒立Ｖ字状に折り曲げ可能に連結して構成している。
【００１８】
前記第１のベッド枠半体３１は、枠材を例えば平面視で略コ字状ないし矩形状（本例ではコ字状）に折り曲げた主枠３１ａと、縦横にのびる補強材３１ｂ、３１ｃとを一体に固着して形成される。第１のベッド枠半体３１は、実質的にベッド長さの略半分の長さ（例えば９００〜１０００mm）をもっている。第１のベッド枠半体３１は、ベッド長さ方向の中間部側に位置する内端部が、継ぎ材３３にピン等を用いて回動可能に枢着される。また第１のベッド枠半体３１の外端部側には、第１の脚部材３４, ３４が、ベッドの幅方向の両側に設けられる。
【００１９】
前記第１の脚部材３４, ３４は、本例では逆Ｔ字状をなす脚フレーム３４ａと、その下部に取り付けられたキャスター車輪３４ｂとで構成される。脚フレーム３４ａは、第１のベッド枠半体３１にピンにて回動可能に取り付けられる。また両側の第１の脚部材３４, ３４は、第１のベッド枠半体３１の下方で横方向にのびる連結板３５によって一体に固着される。また本形態では、第１のベッド枠半体３１の頭側端部に、化粧仕上げされた宮板３６が取り付けられたものを例示している。
【００２０】
前記第２のベッド枠半体３２は、第１のベッド枠半体３１と同様に枠材を略コ字状に折り曲げた主枠３２ａと、縦横にのびる補強材３２ｂ、３２ｃとを一体に固着して形成される。第２のベッド枠半体３２も、ベッド長さの約半分の長さをもっている。該第２のベッド枠半体３２は、縦方向の中間部に位置する内端部が、前記継ぎ材３３にピンにて回動可能に枢着される。本実施形態では、第１、第２のベッド枠半体３１、３２は、それぞれ縦方向で離間したそれぞれ別の軸で支承されるが、同じ軸で支承することでも良い。
【００２１】
第２のベッド枠半体３２の前記主枠３２ａには、横方向に突出した取付軸３７を介して、第２の脚部材３８が固着される。これにより、折り畳み時、第１、第２の脚部材３４、３８が干渉するのを防止できる。第２の脚部材３８は、第２のベッド枠半体３２から高さ方向に突出する部分によって手摺りを兼ねるとともに、下方にのびる端部には、接地する車輪３９が設けられる。これらにより、折り畳み時に、第１、第２のヘッド枠半体３１、３２を円滑に移動させることができる。また本実施形態では、第２のベッド枠半体３２の脚側端部に、化粧仕上げされた飾り板４３が取り付けられたものを例示している。
【００２２】
ベッド幅方向の両側に設けられた前記継ぎ材３３, ３３は、連結材４０により一体に固着されるとともに、この連結材４０には、中間支脚部４１が固着される。中間支脚部４１は、水平状態で床面と接地する。これにより、第１、第２の脚部材３４、３８及び中間支脚部４１でベッド荷重を支持し、使用時の安定性を高める。また折り畳みベッド１Ａは、継ぎ材３３の一端に前記第１のベッド枠半体３１を、かつ継ぎ材３３の他端に前記第２のベッド枠半体３２をそれぞれ枢支している。その結果第１のベッド枠半体３１と第２のベッド枠半体３２とは、互いに垂直位置となるよう折り曲げることにより折り畳みベッド１Ａをコンパクトに収納できる。
【００２３】
中間支脚部４１と第１のベッド枠半体３１との間、及び、中間支脚部４１と第２のベッド枠半体３２との間には、夫々折畳み労力を軽減する例えば引張バネ４２を架け渡すことができる。そして引張バネ４２は、前記折り畳み時の操作力を軽減する。なお引張バネ４２は、その架設位置を変えることができ、また電動機などを使用して、自動により折り畳みベッド１Ａの折畳み、展開動作を行わせることが可能である。また、前記継ぎ材３３は、その側面に横方向に突出した略リング状の持ち手４４を有し、該持ち手４４を把持することにより、前記ベッドの折り畳み操作を容易かつ安全に行なうことができる。
【００２４】
前記寝具受け枠３は、前記ベッド主枠２の縦方向に配置された、上半身を受ける上半身支持枠部５と、就寝者の臀部を受ける臀支持枠部４と、脚部を支持する脚支持枠部６とからなる。前記寝具受け枠３の横幅は、前記ベッド主枠２よりも広く、例えば８００〜１８００ｍｍ程度に形成される。
【００２５】
前記臀支持枠部４は、パイプ材等を横長矩形状に結合した枠体４Ａと、この枠体４Ａが囲む空所に配された金網状の下張り材４Ｂと、折り畳みベッド１Ａの縦方向にのびる補強材４Ｃとからなり、ベッド主枠２の第１のベッド枠半体３１の脚側に、ボルトなどを用いて固着される。臀支持枠部４は、縦長さが１６０〜２４０ｍｍ程度に形成される。
【００２６】
前記上半身支持枠部５は、前記臀支持枠部４の頭側に配され、本形態では、背中を受ける背支持部１５と、頭部を受ける頭支持部１６とからなる。
【００２７】
前記背支持部１５は、パイプ材等を横長矩形状に結合した枠体１５Ａと、この枠体１５Ａ内が囲む空所に配され寝具を載置可能な下張り材１５Ｂと、折り畳みベッド１Ａの縦方向にのびる補強材１５Ｃとを含んで構成される。また図５に示すように、この背支持部１５の脚側の端部は、前記臀支持枠部４の頭側の端部に、連結金具４５とピンＰ１とを用いて起倒作動可能に連結されている。なお、背支持部１５は、その他の部分は第１のベッド枠半体３１に固着されていないため、下方の第１のベッド枠半体３１の主枠３１ａによって支持される水平位置と、前記臀支持枠部４に対して折れ曲がり、第１のベッド枠半体３１から起き上がる位置とに変化しうる。本形態では、背支持部１５は、その脚側の端部を前記臀支持枠部４の頭側の端部に起倒可能に連結しているが、直接第１のベッド枠半体３１に起倒可能に連結させてもよい。なお背支持部１５は、縦長さが３２０〜４８０ｍｍ程度に形成される。
【００２８】
前記頭支持部１６は、パイプ材等を横長矩形状に結合した枠体１６Ａと、この枠体１６Ａ内が囲む空所に配され寝具を載置可能な下張り材１６Ｂと、折り畳みベッド１Ａの縦方向にのびる補強材１６Ｃとを含んで構成され、前記背支持部１５の頭側に小間隔を介して配置される。なお頭支持部１６は、ユーザの頭部を載置するのに適した縦長さを有し、例えば２３０〜３５０ｍｍ程度に形成される。
【００２９】
本形態の上半身支持枠部５は、前記背支持部１５と前記頭支持部１６とが、連結具Ｊを介して連結されたものが例示される。該連結具Ｊは、図４に拡大して示すように、背支持部１５の頭側に設けられた上下にのびる筒状部４６と、該筒状部４６を上下にスライドしうるスライド軸４７とを具え、背支持部１５と頭支持部１６とを、高さ方向に位置ずれできかつ傾動可能に連結しうる。
【００３０】
前記筒状部４６は、例えば背支持部１５の枠体１５Ａのうち、頭側において横方向にのびる外枠部１５Ａ１に取付金具４８を介して取付けられる。該取付金具４８は、前記外枠部１５Ａ１の下部に溶接、ボルト等により一体に固着され頭側に突出する取付基体４８ａと、一端がこの取付基体４８ａに対して横方向の水平軸の回りで小角度で傾動可能に設けられしかも他端側に前記筒状部４６を固着した首振り部４８ｂとで構成される。
【００３１】
前記取付基体４８ａは、本実施形態では下解放の溝型鋼が用いられる。また首振り部４８ｂは、ベッド幅方向に離間した垂直片４８ｂ１, ４８ｂ１を円弧片４８ｂ２で連結した平面視略Ｕ字状の金具からなる。本例では前記円弧片４８ｂ２の内周面に前記筒状部４６が例えば溶着されものが例示される。筒状部４６は、断面円形のパイプ材からなり、背支持部１５の枠体１５Ａの上面から突出することなく下方へとのびている。
【００３２】
また前記スライド軸４７は、円形断面を有した軸部４７ａと、その下端に設けられた大径の抜け止め部４７ｂとを有し、その上端部が頭支持部１６の枠体１６Ａのうち背支持部１５側において横方向にのびる内枠部１６Ａ１の下面に溶接、ボルトなどにより一体に固着されている。前記軸部４７ａは、筒状部４６の内径よりも僅かに小さい外径を有し、筒状部４６内を円滑にスライドできる。また前記抜け止め部２３ｂは、筒状部４６の下端面と当接することによりスライド軸４７の最大スライド量を規制できる。
【００３３】
このような連結具Ｊは、頭支持部１６が上半身起倒手段７により上向きに押し上げられると、スライド軸４７が筒状部４６に対して上昇できる。これにより、図４に示すように、背支持部１５に対して段差を有して頭支持部１６を上昇させ得る。なお本形態では、前記連結具Ｊは上半身支持枠部５の下部に配されるため、ユーザの手が届くことがなく、指詰めすることがない点で好ましい。
【００３４】
また本形態の折り畳みベッド１Ａは、前記上半身支持枠部５を起倒動作させる上半身起倒手段７と、持上げリンク１７と、駆動手段１１とを具えている。
【００３５】
前記上半身起倒手段７は、本形態では図１、３に示すように、起倒主軸１２と、共に該起倒主軸１２からのびる一対の起倒アーム１３, １３と、起倒レバー１４とを含んで構成されている。
【００３６】
前記起倒主軸１２は、第１のベッド枠半体３１の補強材３１ｂ, ３１ｂ間を横方向にのびる円パイプからなり、その両端が前記補強材３１ｂに設けた軸受け片４９, ４９間に、回転可能に枢支されている。
【００３７】
前記起倒レバー１４は、その基部が前記起倒主軸１２に固着され、本形態では、第１の起倒レバー１４ａと、第２の起倒レバー１４ｂとからなる。前記第１の起倒レバー１４ａは、小間隔を有する一対の長板からなり、その先端に段部を介して間隔を小さく形成された取付部１４ａ１を有する。
【００３８】
前記駆動手段１１は、本形態では、電動機などを有する本体部１８ａと、該電動機の正転、逆転により本体部１８ａから伸び縮み（出没）自在なロッド１８ｂとを具えるボールネジ機構を用いた直線電動運動器１８からなる。該直線電動運動器１８は、その本体部１８ａが第１のベッド枠半体３１の補強材３１ｃにブラケットなどを介して枢着されるとともに、そのロッド１８ｂは、前記第１の起倒レバー１４ａの取付部１４ａ１にピンＰ２により回転可能に取付けられ、垂直面内を傾動可能に支持されている。そして直線電動運動器１８は、そのロッド１８ｂを伸縮すると、前記第１の起倒レバー１４ａが傾動するとともに前記起倒主軸１２が回転し、ひいては、前記起倒アーム１３が垂直面内で傾動する。  
【００３９】
前記持上げリンク１７は、図４に示すように、一端に設けた長孔１７ｃを介して前記起倒アーム１３にスライド・回動可能に枢着され、他端が頭支持部１６の補強材１６Ｃに金具５０を介して枢着されている。また持上げリンク１７は、本形態では、長さの等しい第１、第２の持上げリンク１７ａ、１７ｂが含まれ、これにより、起倒アーム１３、第１、第２の持上げリンク１７ａ、１７ｂ及び頭支持部１６とで平行リンク機構を形成している。なお本形態の平行リンク機構は、前記起倒アーム１３と、第１、第２の持上げリンク１７ａ、１７ｂ間が、長孔１７ｃを介し枢着しているため、前記頭支持部１６の持上げ時、上半身支持枠部５の起倒時に、該平行リンク機構、前記連結具Ｊなどにおいて発生するこじれ、つまりを解消でき、これら動作がスムースとなる点で好ましい。
【００４０】
前記脚支持枠部６は、前記第２のベッド枠半体３２に取付けられ、本形態では、前記臀支持枠部４の脚側に配される第１の脚小枠２０と、第２の脚小枠２１とからなる。
【００４１】
前記第１の脚小枠２０は、パイプ材等を横長矩形状に結合した枠体２０Ａと、この枠体２０Ａ内が囲む空所に配され寝具を載置可能な下張り材２０Ｂと、折り畳みベッド１Ａの縦方向にのびる補強材２０Ｃとを含んで構成される。また前記第２のベッド枠半体３２は、平面視で略コ字状の主枠３２ａの双方の頭側端部間に、横方向に通る円パイプからなる脚回動軸２２を回動可能に枢支している。そして前記第１の脚小枠２０は、その頭側の枠体部２０Ａ１が、前記脚回動軸２２に溶接などで固着され、これにより、第１の脚小枠２０は第２のベッド枠半体３２に起倒作動可能に取り付けられる。なお第１の脚小枠２０は、縦長さが１９０〜２９０ｍｍ程度に形成される。
【００４２】
前記第２の脚小枠２１は、パイプ材等を横長矩形状に結合した枠体２１Ａと、この枠体２１Ａ内が囲む空所に配され寝具を載置可能な下張り材２１Ｂと、折り畳みベッド１Ａの縦方向にのびる補強材２１Ｃとを含んで構成される。また図６に示すように、この第２の脚小枠２１の頭側の端部と、前記第１の脚小枠２０の脚側の端部とは、連結金具５１とピンＰ３とを用いて折り曲げ可能に連結される。なお第２の脚小枠２１は、縦長さが５２０〜７８０ｍｍ程度に形成される。
【００４３】
また本形態の折り畳みベッド１Ａは、前記脚支持枠部６を傾動・折曲げ動作する脚部動作手段８を具える。そして該脚部動作手段８は、本形態では図３に示すように、前記脚回動軸２２からのびる脚レバー２３により形成されたものが例示される。前記脚レバー２３は、折り畳みベッド１Ａの縦方向に動くことにより前記脚回動軸２２が回転し、その結果該脚回動軸２２に固着された第１の脚小枠２０と第２の脚小枠２１とが、逆Ｖ字状に傾動・折り曲げ動作する。なお前記脚レバー２３は、脚回動軸２２の回転を安定とするため、２本以上設けることもよい。また、脚部動作手段８は、前記上半身起倒手段７と同様、脚レバー２３の傾動に連動する起倒アームを設け、その先端部で第１の脚小枠２０の背部を押し上げる構成を採用することもできる。
【００４４】
前記脚部動作手段８、及び前記上半身起倒手段７は、連動手段１０により連結され、連動動作する。そして本形態の連動手段１０は、紐状体９と滑車５３とを具えたものが例示される。すなわち、前記紐状体９は、その一端が前記脚部動作手段８を構成する脚レバー２３の先端部に固着され、他端は前記上半身起倒手段７の第２の起倒レバー１４ｂの先端部に固着され、これにより脚部動作手段８と前記上半身起倒手段７とが紐状体９を介して連結している。
【００４５】
前記紐状体９は、脚レバー２３、及び第２の起倒レバー１４ｂから折り畳みベッド１Ａの脚側にのび、その中間が、第２のベッド枠半体３２に取付けた滑車５３に支持されて反転しその向きを変えている。このように、紐状体９は反転して向きを変え配置されているため、例えば前記した従来の折り畳みベッドのように、ベッドの脚側の端部に及んで配されることなどがなくなり、比較的コンパクトに配置される。その結果、ベッドを折り畳む際、紐状体９がその間に挟まるなどにより、その動作を妨げることがなく、折り畳み操作を円滑に行なうことができる。しかも、折り畳み時の挟み込みで紐状体９を損傷することがないため、動作不良などのトラブルが防止でき、メンテナンスを容易とする。なお滑車５３は、前記第２のベッド枠半体３２の補強材３２ｃに固着した溝形金物５２に回転可能に取付けられている。また前記紐状体９は、前記第１のベッド枠半体３１の脚側において横方向にのびる補強材３１ｃに設けたガイドローラ５４に案内されている。
【００４６】
次に叙上の如く構成された本形態の折り畳みベッド１Ａの動作を説明する。図６（Ａ）、及び図５に実線で示すように、前記直線電動運動器１８のロッド１８ｂがベッドの脚側に突出したとき、上半身起倒手段７の第２の起倒レバー１４ｂと、起倒アーム１３とは、図において時計廻りの末端位置にあり、かつ前記脚レバー２３は、反時計廻りの末端位置にある。そしてこのとき、上半身支持枠部５、及び脚支持枠部６は、伸展状態を維持し、寝具受け枠３に載置されたマット体からなる寝具Ｓの表面は、略フラットに形成され、枕を使用して通常の睡眠をとる場合に適している。
【００４７】
次いで、前記直線電動運動器１８のロッド１８ｂが少し縮み、起倒主軸１２の回転に連動し、起倒アーム１３が半時計廻りに起き上がると、前記持上げリンク１７が頭支持部１６を押し上げる。このとき、前記連結具Ｊのスライド軸４７は、前記抜け止め部２３ｂが筒状部４６の下端面に当接するまで、該筒状部４６内をスライドする。一方背支持部１５は、その自重により第１のベッド枠半体３１に載置された水平のままの状態を保つ。これにより、図５に想像線Ｒ１で示すように、頭支持部１６は、背支持部１５と段差を生じつつ傾斜して上昇し、初期リクライニング状態Ｒ１をとることができる。
【００４８】
さらに、前記起倒アーム１３によりスライド軸４７が最大スライド量に達した後もさらに頭支持部１６を押し上げると、スライド軸４７の抜け止め部１３ｂが筒状部４６を持ち上げる。これにより、背支持部１５は、頭支持部１６とともに持ち上げられ、前記臀支持枠部４と連結された前記ピンＰ１を支点として起き上がり、頭支持部１６と背支持部１５との段差が保たれた後期リクライニング状態Ｒ２をとることができる。このように本形態では、頭支持部１６と背支持部１５との段差により、頸部への圧迫を減じつつ頭部を持上げることができ、テレビの視聴、読書などに最適なリクライニング状態を得ることができ、また初期リクライニング状態Ｒ１では、枕なしであたかも枕を使用しているのと同じ寝心地を得ることができる点で好ましい。
【００４９】
また、初期、後期を含む前記リクライニング状態Ｒにおいて、図６（Ｂ）に示すように、前記上半身起倒手段７の起倒主軸１２に固着された第２の起倒レバー１４ｂは反時計廻りに回転する。このとき一端が第２の起倒レバー１４ｂに固着された紐状体９は、折り畳みベッド１Ａの頭側に引き寄せられるが、前記滑車５３により方向を１８０度反転するため、その他端は折り畳みベッド１Ａの脚側に引張られ、これに固着した脚レバー２３は、時計廻りに回転する。その結果、前記第１の脚小枠２０は、その頭側端部が脚回動軸２２に固着されているため脚側の端部が起き上がる。そして第１の脚小枠２０の脚側端部に折れ曲げ可能に連結された第２の脚小枠２１の頭側端部は引き上げられるため、脚支持枠部６は逆Ｖ字状に折れ曲がる。
【００５０】
またこのとき、上半身起倒手段７と脚レバー２３とは連動手段１０を介して連動して動作するため、上半身支持枠部５の起き上がりの角度が小の状態では、脚支持枠部６の傾動の傾き（折れ曲がりの角度）は小さく、上半身支持枠部５の起き上がり角度の増加に追従して脚支持枠部６の傾動の傾きも大きくなる。さらに、前記紐状体９の長さ調整により、上半身支持枠部５の起き上がり角度が或る角度（例えば１５〜３０度程度）を越えてから、脚支持枠部６の傾動を連動させることもできる。
【００５１】
このように、上半身起倒手段７と脚部動作手段８とが連動手段１０により連動し、上半身の起き上がり角度に応じた傾きで脚を逆Ｖ字に折り曲げ支持するため、ユーザは各種角度の状態において、無理のない最も自然な姿勢を保つことができ、テレビの視聴、読書などを長時間続けても腰、膝などへの負担が小さく、だるさなど疲労感が減少し、快適なリクライニング状態を作り出すことができる。しかも、駆動手段の操作により、連動手段がその状態を自動的に形成するため、使い勝手に優れる。
【００５２】
他方、リクライニング状態Ｒにおいて、直線電動運動器１８のロッド１８ｂを伸ばすことにより、上半身支持枠部５の起き上がりの角度と、脚支持枠部６の逆Ｖ字状の傾きとを徐々に減じ、上半身支持枠部５及び脚支持枠部６は、初期の伸展状態へと連続的に変化できる。なお、直線電動運動器１８は、図示しないリモコンを使用し、ユーザが折り畳みベッド１Ａに寝た状態で操作することができる。
【００５３】
なお、駆動手段１１は、本形態では直線電動運動器１８を用いているが、図１３に示すように、ラチェット機構を具え、上半身支持枠部５を傾斜位置で係止可能に起倒する手動レバー２４により構成することもできる。また、本形態の駆動手段１１は、上半身起倒手段７に取付けているが、脚部動作手段８に設けることもよい。また本形態の上半身起倒手段７は、第１、第２の起倒レバー１４ａ、１４ｂを具えるものが例示されるが、１本の起倒レバー１４に直線電動運動器１８と、紐状体９とを取付けて構成してもよい。
【００５４】
図７、８は、本発明の他の実施形態を例示している。なお、前記の実施形態と同等の構成はその説明を省略し、図中にその符号のみを記している。本形態の上半身支持枠部５は、単一のフレーム体で構成され、その脚側端部は、臀支持枠部４の頭側端部に、連結金具４５とピンＰ１とを用いて起倒作動可能に取付けられている。従って、背中と頭部とは一体の上半身支持枠部５により支持される。
【００５５】
本形態の折り畳みベッド１Ａでは、起倒主軸１２から相互に平行にのびる２本の起倒アーム１３, １３が設けられ、該起倒アーム１３は、その先端に支持ローラ５５を有し、該支持ローラ５５が上半身支持枠部５の背面に当接して、該上半身支持枠部５を押し上げる。なお上半身支持枠部５は、折り畳みベッド１Ａの縦方向にのびる補強材に、前記支持ローラ５５が転動する滑走面５６, ５６を設ける。前記ピンＰ１を軸とした上半身支持枠部５の起倒動作と、起倒主軸１２を軸とした起倒アーム１３の起倒動作とは、その回転中心位置が異なるため、前記起倒アーム１３の先端部と上半身支持枠部５の背面の当接位置は、起倒角度の変化に従い移動する。しかし、前記支持ローラ５５は、上半身支持枠部５の背面と相対移動可能に係合するため、摩擦、こじれなどをおこすことなく、起倒動作をスムースに行なうことができる点で好ましい。
【００５６】
本形態の折り畳みベッド１Ａは、図９（Ａ）に示すように、直線電動運動器１８のロッド１８ｂが伸び、前記起倒アーム１３が略水平の位置においては、上半身支持枠部５と、臀支持枠部４と、脚支持枠部６とはベッド主枠２に載置された水平のままの伸展状態を維持する。図９（Ｂ）に示すように、直線電動運動器１８のロッド１８ｂが縮み、前記起倒アーム１３が図において反時計廻りに回転すると、起倒アーム１３先端の支持ローラ５５が上半身支持枠部５の背面を押し上げ、上半身支持枠部５はピンＰ１を軸に起き上がる。同時に紐状体９を含む連動手段１０を介し、脚部動作手段８が動作し、脚支持枠部６が逆Ｖ字状に傾動し折り曲げられる。
【００５７】
図１０、１１は、本発明の更に異なる実施形態を例示している。本形態の上半身起倒手段７は、上半身支持枠部５の背面に並設された第１、第２の起倒レバー１４ａ、１４ｂからなる。第１の起倒レバー１４ａは、上半身支持枠部５の背面から折り畳みベッド１Ａの脚側に傾斜してのび、小間隔を介し平行な一対の長板体１４ａ１, １４ａ１からなる。該第１の起倒レバー１４ａは、その先端がピンＰ４により直線電動運動器１８のロッド１８ｂに回転可能に取付られている。なお、前記ピンＰ４は、ロッド１８ｂの伸縮動作の遊びを得るため、第１の起倒レバー１４ａ先端の長孔５７にスライド可能に取付られている。  
【００５８】
前記第２の起倒レバー１４ｂは、上半身支持枠部５の背面に設けた取付板５８に突設され、該取付板５８に固着された基部１４ｂ１と、基部１４ｂ１の先端から折り畳みベッド１Ａの脚側へのびる腕部１４ｂ２とからなり、Ｌ字状をなしている。そして前記腕部１４ｂ２は、その先端に連動手段１０を構成する紐状体９の一端が固着され、該紐状体９の他端は脚部動作手段８の脚レバー２３の先端に固着している。
【００５９】
本形態の折り畳みベッド１Ａは、図１２（Ａ）、（Ｂ）に示すように、直線電動運動器１８のロッド１８ｂが伸びたとき、上半身支持枠部５と、臀支持枠部４と、脚支持枠部６とはベッド主枠２に載置された水平のままの伸展状態を維持する。図１２（Ｃ）に示すように、直線電動運動器１８のロッド１８ｂが縮み、前記第１の起倒レバー１４ａ先端が折り畳みベッド１Ａの頭側に引張られると、臀支持枠部４の頭側の端部にピンＰ１により起倒作動可能に取付られた上半身支持枠部５は、その頭側端部が起き上がる。そして図１２（Ｄ）に示すように、上半身支持枠部５背面の第２の起倒レバー１４ｂは、前記ピンＰ１を中心に反時計廻りに傾動するため、前記紐状体９の一端を折り畳みベッド１Ａの頭側に引張り、その結果前記脚部動作手段８が動作し、脚支持枠部６が逆Ｖ字状に傾動し折曲げられる。
【００６０】
図１３に示す折り畳みベッド１Ｂは、上半身支持枠部５の脚側端部が、臀支持枠部の頭側端部にピンＰ１により起倒作動可能に取付られ、しかもラチェットＲＡを用いて傾斜位置で係止可能に支持されている。前記ラチェットＲＡは、上半身支持枠部５を複数角度の傾斜位置で係止可能に支持しえ、最大傾斜角度（例えば９０度）を越えると係止が解除される周知の構造のものが採用される。そして、上半身支持枠部５はユーザが手動により任意の角度に引き起こして使用する。このとき、上半身支持枠部５の両側部にリクライニンググリップ６０が設けられているため、これを握って持上げると操作を簡単に行える。なお前記リクライニンググリップ６０は、ソフト感を得るためロープにスポンジを被覆したものが用いられている。
【００６１】
前記上半身支持枠部５は、その背面に突出レバー１９を有する。該突出レバー１９は、上半身支持枠部５の背面に設けた取付板５９に固着された基部１９ａと、基部１９ａの先端から折り畳みベッド１Ａの脚側へのびる腕部１９ｂとからなり、Ｌ字状をなしている。連動手段１０は、紐状体９と第２のベッド枠半体３２に設け、横方向にのびる支持杆５９とからなるものが例示される。紐状体９は、その一端が前記腕部１９ｂの先端に固着され、脚側に向ってのび、中間が前記支持杆５９に支持されて反転することにより、その先の向きを頭側に転換し、他端が脚部動作手段８を構成する脚レバー２３の先端に固着している。
【００６２】
本形態の折り畳みベッド１Ｂは、図１４（Ａ）に示すように、ラチェットＲＡによる係止が解除されるとき、上半身支持枠部５と、臀支持枠部４と、脚支持枠部６とはベッド主枠２に載置された水平のままの伸展状態を維持する。図１４（Ｂ）に示すように、上半身支持枠部５は、ピンＰ１を中心にを手動で引き起こすと、ラチェットＲＡにより傾斜位置で係止される。そしてこのとき、上半身支持枠部５背面の突出レバー１９は、前記ピンＰ１を中心に半時計廻りに回転するため、前記紐状体９の一端を折り畳みベッド１Ａの頭側に引張り、その結果前記脚部動作手段８が動作し、脚支持枠部６が逆Ｖ字状に傾動し折曲げられる。
【００６３】
また、前記紐状体９は、図１５（Ａ）に示すように、その端部に設けたフック６１を固着している固着具６２（蝶ボルト、ナット）を外すことにより、上半身支持枠部５の突出レバー１９から取り外すと、脚支持枠部６を逆Ｖ字状に折曲げ連動させることなく、上半身支持枠部５のみを起倒作動させることができる。このとき、取り外された紐状体９は、図１５（Ｂ）に示すように、その端部のフック６１を蝶ボルト６３によりガイドローラ５４の取付プレート６４に螺着することにより固定される。
前記フック６１を
【図面の簡単な説明】
【００６４】
【図１】本発明の折り畳みベッド１Ａの分解斜視図である。
【図２】その平面図である。
【図３】上半身起倒手段、脚部動作手段、及び連動手段を例示する拡大斜視図である。
【図４】連結具、及びリンクを例示する拡大斜視図である。
【図５】寝具受け枠の変形状態を示す側面略図である。
【図６】（Ａ）（Ｂ）は、折り畳みベッド１Ａの変形状態を示す側面略図である。
【図７】折り畳みベッド１Ａの異なる実施形態を例示する要部平面図である。
【図８】その要部側面図である。
【図９】（Ａ）（Ｂ）は、その変形状態を示す側面図である。
【図１０】折り畳みベッド１Ａの更に異なる実施形態を例示する平面図である。
【図１１】（Ａ）（Ｂ）は、その変形状態を示す要部側面図である。
【図１２】（Ａ）〜（Ｄ）は、その変形状態を示す側面図である。
【図１３】本発明の折り畳みベッド１Ｂの要部側面図である。
【図１４】（Ａ）（Ｂ）は、その変形状態を示す側面図である。
【図１５】（Ａ）（Ｂ）は、その使用方法を説明する要部斜視図である。
【図１６】従来の折り畳みベッドの側面図である。
【図１７】その折り畳み状態を示す側面図である。
【符号の説明】
【００６５】
１Ａ、１Ｂ      折り畳みベッド
２      ベッド主枠
３      寝具受け枠
４      臀支持枠部
５      上半身支持枠部
６      脚支持枠部
７      上半身起倒手段
８      脚部動作手段
９      紐状体
１０      連動手段
１１      駆動手段
１２      起倒主軸
１３      起倒アーム
１４      起倒レバー
１５      背支持部
１６      頭支持部
１７      持上げリンク
１８      直線電動運動器
１９      突出レバー
２０      第１の脚小枠
２１      第２の脚小枠
２２      脚回動軸
２３      脚レバー
２４      手動レバー
ＲＡ    ラチェット
Ｓ      寝具
【図１】
2005124651.tif 000003
【図２】
2005124651.tif 000004
【図３】
2005124651.tif 000005
【図４】
2005124651.tif 000006
【図５】
2005124651.tif 000007
【図６】
2005124651.tif 000008
【図７】
2005124651.tif 000009
【図８】
2005124651.tif 000010
【図９】
2005124651.tif 000011
【図１０】
2005124651.tif 000012
【図１１】
2005124651.tif 000013
【図１２】
2005124651.tif 000014
【図１３】
2005124651.tif 000015
【図１４】
2005124651.tif 000016
【図１５】
2005124651.tif 000017
【図１６】
2005124651.tif 000018
【図１７】
2005124651.tif 000019